(57)【要約】  【課題】  空中を浮遊しながら、操作指示に応じて空中を運動可能な空中遊泳体を提供する。  【解決手段】魚形状空中遊泳体１を浮遊させるため、Ｈｅガスが封入されている頭部１１のバルーン１１１と、Ｈｅガスが封入されている胴部１３のバルーン１３１を有する。魚形状空中遊泳体１は、魚の頭部１１、胴部（または尾柄）１３、および、尾鰭１５を持ち、これらが連結部３１、３２で連結されている。胴部１３と尾鰭１５とは２個のサーボ５１、５２により駆動される。胴部１３に搭載されている制御用コンピュータは２個のサーボ５１、５２のＰＷＭのパルス幅を変化させることにより、サーボ５１、５２の回転範囲を変化させ、動作開始タイミング（位相差τ）を異ならせることにより胴部１３と尾鰭１５との運動形態および移動速度を異ならせる。胴部１３、尾鰭１５の回動に応じて魚形状空中遊泳体１が空中を移動する。【選択図】    図３
2005192869.tif 000002
【特許請求の範囲】
【請求項１】
空中を浮遊する空中遊泳体であって、
当該空中遊泳体に搭載された、
第１部分と、
第２部分と、
第３部分と、
前記第１部分と前記第２部分とを運動可能に連結する第１連結手段と、
前記第２部分と前記第３部分とを運動可能に連結する第２連結手段と、
前記第１連結手段を介して前記第１部材に対して前記第２部材を回動させる電動式第１回動手段と、
前記第２連結手段を介して前記第２部材に対して前記第３部材を回動させる電動式第２回動手段と、
当該空中遊泳体を空中に浮遊させる気体と、
少なくとも、前記第１部分および前記第２部分を包囲し、前記第１部分および前記第２部分内に前記気体を収容する、気体収容体と、
前記第１手段および第２回動手段に給電する給電手段と
を具備し、および、
当該空中遊泳体に搭載される、または、当該空中遊泳体に搭載されず、操作信号に応じて前記第１および第２回動手段を制御する制御手段と
を具備し、
空中浮遊状態において、前記第２部分および／または前記第３部分の回動により空中を推進する、
空中遊泳体。
【請求項２】
前記制御手段は、前記第１および第２回動手段を駆動するタイミングをずらし、前記第２部分および／または前記第３部分の運動を制御するため、位相差をつけて前記第１および第２回動手段を駆動する、
請求項１に記載の空中遊泳体。
【請求項３】
前記電動式第１および第２回動手段はサーボであり、
前記制御手段はＰＷＭ方式で前記サーボを駆動する、
請求項２に記載の空中遊泳体。
【請求項４】
前記サーボは、前記連結手段に接続され、回転するサイドホーンを有し、
前記制御手段は、前記ＰＷＭのパルス幅を調整して前記サイドホーンの回転角度範囲を制御する、
請求項３に記載の空中遊泳体。
【請求項５】
当該空中遊泳体は魚形状をした空中遊泳体であり、
前記気体はＨｅガスであり、
前記第１〜第３部分は、頭部、胴部（または尾柄）、尾鰭であり、
前記頭部に対して前記胴部および／または尾鰭が運動して、その推力で空中を運動する、
請求項１〜４いずれかに記載の空中遊泳体。
【請求項６】
前記空中遊泳体にさらに音声応答手段が搭載され、
前記制御手段は当該空中遊泳体に搭載され、
該音声応答手段は音声による操作指示に応じた指令を前記制御手段に出力する、
請求項１〜５いずれかに記載の空中遊泳体。
【請求項７】
音声認識確認手段をさらに有し、
前記音声応答手段は音声を認識したとき、前記音声認識確認手段を駆動する、
請求項６に記載の空中遊泳体。
【請求項８】
障害検出手段をさらに有し、
前記制御手段は障害検出手段か障害を検出したとき、その障害の回避動作する、
請求項１〜７いずれかに記載の空中遊泳体。
【発明の詳細な説明】
【技術分野】
【０００１】
本発明は、空中に浮遊し、空中を移動可能な空中遊泳体に関する。
【背景技術】
【０００２】
遊戯ロボットが種々提示されている。そのような遊戯ロボットの中で、魚の動きを模擬した魚ロボットが提案されている。
【０００３】
特開２００２−１３６７７６号公報は、回転軸によって駆動される、複数の鰭および尾部にも鰭を有する水泳する魚ロボットを開示している。
この魚ロボットは、水族館などにおいて観客に見せるため、無線通信による操作信号に応じて、魚ロボットに搭載された上記回転軸を駆動させることにより鰭を動かして水槽の中を動くことができる。
【０００４】
特開平１１−３１８６８７号公報は、室内または店内などにおいて、鯉のぼりのような空中浮動体が提案されている。この空中浮動体は、ガイド棒に紐を介して吊るされており、鯉のぼりのように、吊るされた状態で鯉が泳ぐように尾びれを上下左右に動かされる。
【特許文献１】特開２００２−１３６７７６号公報
【特許文献２】特開平１１−３１８６８７号公報
【発明の開示】
【発明が解決しようとする課題】
【０００５】
特開２００２−１３６７７６号公報のように水中ではなく、特開平１１−３１８６８７号公報のように固定ではなく、空中を操作者（ユーザ）の意思に従って自由に移動可能な遊戯ロボットが要望されている。
たとえば、室内のイベント会場の空間に、魚の形状をした遊戯ロボットが浮遊し、かつ、自由に移動できる光景は、観客の興味をひき、観客を和ませる。
【０００６】
本発明は、魚形状空中遊泳体のような空中を自由に移動可能な空中遊泳体を提供することを目的とする。
【課題を解決するための手段】
【０００７】
本願発明者の考察によると、魚の推進原理は、代表的には、図１（Ａ）〜（Ｃ）にそれぞれ概要を図解したように、鰻のように体の全体を左右にゆすって進むタイプと、鰺などの魚に代表される体の後半部分を左右にゆすって進むタイプと、河豚のように尾鰭のみを左右にゆすって進むタイプとに大別される。
本発明の空中遊泳体の制作に際して、第１の課題は、所定の高度に浮遊させることである。そのためには、浮力のあるガスの選定と、そのガスを収容する気球の特性、そして、空中遊泳体に搭載する部材の小型かつ軽量化を図ることが必要である。加えて、空中遊泳体が空中に浮いて停留可能な状態、すなわち、「浮遊状態」であることが必要である。ガスの浮力が空中遊泳体全体の重量より大きすぎると空中遊泳体は風船のように止めどもなく上昇してしまう。他方、ガスの浮力が空中遊泳体全体の重量より少ないと空中遊泳体は地上に落下する。浮力が空中遊泳体の重量との均衡を保って、空中遊泳体が浮遊可能にする必要がある。
次いで、空中遊泳体としての空中における推進力が課題となる。本願発明者は、空中遊泳体として、たとえば、図１（Ｂ）に図解した鰺型の推進を行う魚形状空中遊泳体の制作を試みた。鰺型の魚形状空中遊泳体は、尾柄（臀鰭から尾鰭の付け根までの部分）と尾鰭の運動によって変化する付加質量が推進力として作用し、速い流れに対応でき、加速性に優れている。
しかしながら、その場合、駆動力が尾鰭の付け根の関節（連結部）に集中する。そこで、空中遊泳体に搭載する部材の小型・軽量化を達成させながら、強度の維持を図った構成にした。
【０００８】
本発明によれば、空中を浮遊する空中遊泳体であって、
当該空中遊泳体に搭載された、第１部分と、第２部分と、第３部分と、前記第１部分と前記第２部分とを運動可能に連結する第１連結手段と、前記第２部分と前記第３部分とを運動可能に連結する第２連結手段と、前記第１連結手段を介して前記第１部材に対して前記第２部材を回動させる電動式第１回動手段と、前記第２連結手段を介して前記第２部材に対して前記第３部材を回動させる電動式第２回動手段と、当該空中遊泳体を空中に浮遊させる気体と、少なくとも、前記第１部分および前記第２部分を包囲し、前記第１部分および前記第２部分内に前記気体を収容する、気体収容体と、前記第１手段および第２回動手段に給電する給電手段とを具備し、
さらに、当該空中遊泳体に搭載される、または、当該空中遊泳体に搭載されず、操作信号に応じて前記第１および第２回動手段を制御する制御手段とを具備し、
空中浮遊状態において、前記第２部分および／または前記第３部分の回動により空中を推進する、空中遊泳体が提供される。
【発明の効果】
【０００９】
本発明によれば、空中に浮遊しながら、空中を移動できる空中遊泳体が実現できた。
【発明を実施するための最良の形態】
【００１０】
図２〜図５を参照して本発明の空中遊泳体の第１実施の形態として外観が魚の形状をした魚形状空中遊泳体について述べる。
【００１１】
図２は本発明の実施の形態の魚形状空中遊泳体が室内の空中に浮遊し、かつ、操作者の操作に応じて３次元空間において推進移動する状態を図解した図である。本実施の形態の魚形状空中遊泳体は、風船のようにただ単に浮遊するだけでなく、ある高度を保って浮遊しながら、操作者の指示に応じて上下左右に空中を移動可能である。
このような浮遊かつ推進移動を行う本発明の実施の形態の魚形状空中遊泳体１の詳細について述べる。
【００１２】
図３（Ａ）〜（Ｃ）は図２に図解した魚形状空中遊泳体の気球部の概略構成を図解する図である。図３（Ａ）は魚形状空中遊泳体１の断面図であり、図３（Ｂ）は図３（Ａ）とは直交する魚形状空中遊泳体１の上部からみた骨格の概略図であり、図３（Ｃ）は魚形状空中遊泳体１の気球部の概略構成図である。
魚形状空中遊泳体１は、左右１対の胸鰭を有し、各胸鰭は３つのサーボと扇のような機構を有する鰭で構成されている。３つのサーボのうち、１つは扇の開閉の動作に、２つは鰭をひねる動作と扇ぐ動作にそれぞれ使用する。各胸鰭３自由度で動作し、左右１対で６自由度の動作をする（胸鰭運動手段）。この胸鰭運動手段によって魚形状空中遊泳体１は推進、推進時の舵取り、定位置での旋回、平行移動の動作を行う。
魚形状空中遊泳体１は、頭部１１と、胴部（または尾柄（臀鰭から尾鰭の付け根までの部分））１３と、尾鰭（または尻尾部分）１５とを有する。
頭部１１は頭部バルーン１１１で包囲されており、頭部バルーン１１１内にはＨｅガス１１３が充填されている。同様に、胴部（または尾柄）１３は胴部バルーン１３１で包囲されており、胴部バルーン１３１にはＨｅガス１３３が充填されている。頭部バルーン１１１および胴部バルーン１３１はそれぞれ、Ｈｅガス１１３、Ｈｅガス１３３が漏洩しない材料で軽量に形成されている。
頭部バルーン１１１内に充填されているＨｅガス１１３および胴部バルーン１３１内に充填されているＨｅガス１３３の上昇力により、魚形状空中遊泳体１が空中に浮遊する。
【００１３】
骨格部
頭部バルーン１１１および胴部バルーン１３１には、第１貫通部１２および第２貫通部１４が設けられており、これら貫通部１２、１４内を、第１部材２１および第２部材２２が貫通している。
第１部材２１と第２部材２２とは第１連結部３１で連結され、第２部材２２と第３部材２３とは第２連結部３２で連結されている。第１連結部３１および第２連結部３２はそれぞれ、魚の関節部分に該当し、頭部バルーン１１１および胴部バルーン１３１の外部に設けられている。このように、魚形状空中遊泳体１は２つの関節部３１、３２を持っている。
【００１４】
図３（Ａ）、（Ｂ）に図解の魚形状空中遊泳体１は、紙面に直交する面において、第１連結部３１を枢軸として第１部材２１と第２部材２２とが回転でき、第２連結部３２を枢軸として第２部材２２と第３部材２３とが回転できる。したがって、魚形状空中遊泳体１の頭部１１と胴部１３とが第１連結部３１を枢軸として回転し、胴部１３と尾鰭１５とが第２連結部３２を枢軸として回転可能である。
【００１５】
図４（Ａ）、（Ｂ）は、図３（Ｂ）に図解した構造部分、すなわち、第１部材２１〜第３部材２３、および、第１連結部３１、３２の詳細構成例を図解した図である。図４（Ａ）は横断面図であり、図４（Ｂ）は平面図である。なお、図４（Ａ）、（Ｂ）には、本実施の形態の寸法をも例示している。
第１部材２１〜第３部材２３、および、第１連結部３１、第２連結部３２は強度を維持しながら、軽量化を図った。
第１部材２１の先頭ブロックはポリエステル樹脂を基板に、制御用コンピュータ４１が搭載される部分にはカーボンバスラを用い、第１連結部３１には炭素繊維パイプとアクリル板を用いた。
頭部１１の胴部バルーン１３１の第１貫通部１２に収容されている第１部材２１は、先頭部分が発泡スチロールで形成されており、炭素繊維パイプに差し込む形状になっている。第１部材２１の第１連結部３１近傍には、カーボンバスラの板で構成されており、このカーボンバスラの板の上に制御処理部４０と駆動手段５０と、バッテリ電源６０が搭載されている。
バッテリ電源６０は制御処理部４０および駆動手段５０の駆動に使用する電力を提供する。
【００１６】
第２部材２２および第３部材２３は直径５ｍｍの炭素繊維パイプで構成されている。
駆動手段５０は第１サーボ５１および第２サーボ５２とを有している。
第１サーボ５１と第１連結部３１とは直径５ｍｍの炭素繊維パイプで連結されている。第２サーボ５２と第２連結部３２とは直径５ｍｍの炭素繊維パイプで作られたリンク機構を通して連結している。この骨格により、図３（Ａ）、（Ｂ）に図解の魚形状空中遊泳体１は、第１サーボ５１、第２サーボ５２を駆動することにより、紙面に直交する面において、魚形状空中遊泳体１の頭部１１と胴部１３とが第１連結部３１を枢軸として回転し、胴部１３と尾鰭１５とが第２連結部３２を枢軸として回転可能である。
【００１７】
図５はサーボ５１、５２として使用する、リモコン用サーボの外観図である。
魚形状空中遊泳体１に使用するリモコン用サーボとしては、本体部５０ａとサーボホーン５０ｂを持つ。本体部５０ａは上述した方法で第１部材２１に固定されている。ケーブル５０ｃを介して給電され、ケーブル５０ｃを介して駆動制御信号が印加されると、サーボホーン５０ｂが所定角度の範囲で回転移動することにより、第１連結部３１を介して第２部材２２、第２連結部３２を介して第３部材２３が回動する。
【００１８】
魚形状空中遊泳体１に使用するリモコン用サーボは、バッテリ電源６０で動作でき、浮遊のため軽量であり、頭部１１の頭部バルーン１１１に収容するため小型であり、サーボホーン第２部材２２および第３部材２３を駆動したとき魚形状空中遊泳体１を推進させるだけの所定のトルクおよび動作角度を持つ必要がある。ただし、リモコン用サーボは水中で駆動する魚ロボットに使用する駆動手段ほどのトルクは必要ない。
実験例に用いたリモコン用サーボの特性を下記に例示する。
【００１９】
実験例のリモコン用サーボの特性
（１）動作電圧  ４．８〜６ＶＤＣ
（２）回転動作スピード  ０１．１〜０．５秒／６０°
（３）動作角度範囲  ±６０°（０〜１２０°）
（４）トルク  ±０．５〜２０ｋｇ・ｃｍ
（５）寸法  ２０×１１×１８〜６０×３０×５５ｍｍ
（６）重量          ６〜１２０ｇ
【００２０】
そのような回転動作は、操作者の指令に応じてサーボ５１、５２を駆動する制御処理部４０により行われる。
制御処理部４０は、制御用コンピュータと送受信装置からなる。
送受信装置４２はアンテナを持ち、操作者の持つコントローラから発せられる操作指示信号を、高周波電波を用いた無線信号として内蔵アンテナで受信し、中間周波信号に変換して、制御用コンピュータに送出する。また、送受信装置は必要に応じて、制御用コンピュータからの信号を無線信号としてアンテナを介して操作者のコントローラに送出する。
なお、魚形状空中遊泳体１を室内の限られた空間内で移動させる場合、制御用コンピュータと操作者が使用するコントローラとの間を、高周波無線信号に代えて光信号、または、無線方式に代えて、有線方式で行うこともできる。その場合、コントローラと送受信装置との間をケーブルで接続する。
【００２１】
制御用コンピュータは、送受信装置を介して受信した操作者からの操作指示信号、たとえば、右回転、左回転、上昇、下降などの操作指示信号に応じて、第１サーボ５１、および／または、第２サーボ５２を駆動する。サーボ５１、５２は、第１連結部３１、第２連結部３２を介して胴部１３、尾鰭１５を駆動する。
制御用コンピュータの制御内容の詳細は後述する。
【００２２】
気球部
図６は魚形状空中遊泳体１の各部の形状と寸法を図解した図である。
魚形状空中遊泳体１の全長は、たとえば、約２５５０ｍｍ〜２６００ｍｍであり、頭部１１の横幅は８００〜８５０ｍｍである。全容積は３００リットル以上になった。
頭部バルーン１１１および胴部バルーン１３１にはそれぞれ、Ｈｅガス１１３、Ｈｅガス１３３が収容されるが、その機密性が問題となる。本実験例では、気球の内側から外側に向かって、図８に図解したように、パラフィン紙７１、アルミニウム製薄膜（フィルム）７２、薄いゴム板７３を重ね、パラフィン紙７１をヒートシーラで加熱してアルミニウム製薄膜７２を融着させて、機密性を高めた。
Ｈｅガスの浮力は１リットルで１ｇである。本実験例では、魚形状空中遊泳体１の気球部の全容積は３００リットル以上であり、計算上、魚形状空中遊泳体１の浮力は３００ｇ以上となった。
したがって、第１部材２１〜２３、第１連結部３１、３２、制御処理部４０、駆動手段５０（サーボ５１、５２）およびバッテリ電源６０、および、バルーン１１１、１３１などの総重量が、３００ｇ以下であれば、魚形状空中遊泳体１は空間を浮遊する。ただし、魚形状空中遊泳体１の総重量がＨｅガスの浮力より極端に軽いと、魚形状空中遊泳体１は風船のように飛び上がってしまう。そこで、Ｈｅガスの浮力と魚形状空中遊泳体１の総重量とは、魚形状空中遊泳体１が空中に浮遊する程度に均衡がとれていることが重要である。
Ｈｅガスの浮力が魚形状空中遊泳体１の総重量以上の場合は、重量調整用おもりをつけるとか、紐を繋いで魚形状空中遊泳体１が舞い上がらないようにすることができる。
なお、２つのサーボを使って重量調整用おもりを前後左右に移動させて、魚形状空中遊泳体１の重心位置を変える重心移動手段を有する。重心移動手段によって魚形状空中遊泳体１は様々な動作を効果的に行うことができる。
【００２３】
制御用コンピュータの制御方法
制御用コンピュータは第１サーボ５１、第２サーボ５２を駆動して、操作者がコントローラを介して指示して動作を魚形状空中遊泳体１に行わせる。制御用コンピュータの制御処理内容を述べる。
図８はサーボ５１、５２を制御する制御信号の波形図である。たとえば、２０ｍｓの周期で、たとえば、パルス幅１．０〜２．０ｍｓのパルス信号をサーボ５１、５２に印加すると、１．５ｍｓ幅のパルス信号を印加した場合は図５のサーボホーン５０ａはほぼ中間位置で停止し、１．５ｍｓ幅より短いパルス信号を印加した場合はサーボホーン５０ａは左回りに回転し、１．５ｍｓ幅より長いパルス信号を印加した場合はサーボホーン５０ａは右回りに回転する。
サーボホーン５０ａは、上述した実験例のサーボによれば、±６０°（０〜１２０°）回転するから、１．０〜２．０ｍｓのパルス幅のパルス信号の印加により、±６０°の範囲でサーボホーン５０ａを回転駆動することができる。
このように、制御用コンピュータは、パルス幅変調（ＰＷＭ）方式で第１サーボ５１、第２サーボ５２のサーボホーン５０ａの回転を制御できる。
制御用コンピュータは、所定の周期、たとえば、上記２０ｍｓでＰＷＭ制御を行うため、２０ｍｓごとの割り込みで上記動作を行う。
【００２４】
図９は制御用コンピュータが１個のサーボ、たとえば、第１サーボ５１を駆動するときの、例示的な、パルス波形図である。この例示においては、制御用コンピュータ４１は、以上の動作をタイマ割り込み処理を利用してＰＷＭ制御処理に基づく下記の動作を行った。
（１）パルス幅０．８ｍｓのパルス信号を２０ｍｓ周期で第１サーボ５１に印加して、＋６０°の位置までサーボホーン５０ａを回転させる動作。
（２）サーボホーン５０ａが＋６０°の位置まで回転しおわるまで、８００ｍｓの間、何もしないで待機する動作。
（３）パルス幅２．２ｍｓのパルス信号を２０ｍｓ周期で第１サーボ５１に印加して、−６０°の位置までサーボホーン５０ａを回転させる動作。
（４）サーボホーン５０ａが−６０°の位置まで回転しおわるまで、８００ｍｓの間、何もしないで待機する動作。
以上の動作により、第１サーボ５１のサーボホーン５０ａは±６０°の範囲が連続的に首振り運動を行った。
【００２５】
図１０は、制御用コンピュータが位相差τをつけて２個のサーボ、５１、５２を駆動した例示的なパルス波形図である。位相差τの変化があると、２つのサーボ５１、５２の動作の位相差も変化する。その結果、胴部１３部分の第２部材２２、尾鰭１５部分の第３部材２３の運動が変化する。
図１０に図解した例示においては、位相差τを４００ｍｓと８００ｍｓにした場合を例示している。なお本実施の形態では、τ＝０ｍｓで同位相、τ＝８００ｍｓで逆位相となる。
図１１（Ａ）〜（Ｃ）、（Ｄ）〜（Ｆ）はそれぞれ、τ＝０ｍｓと、τ＝８００ｍｓにおける、胴部１３部分の第２部材２２と、尾鰭１５部分の第３部材２３の２００ｍｓごとの運動を例示したグラフである。
このように、制御用コンピュータが位相差τをつけて第１サーボ５１と第２サーボ５２とをＰＷＭ制御すると、胴部１３と尾鰭１５とを希望する角度まで回動させることができる。
【００２６】
図１２（Ａ）、（Ｂ）は位相差τと、胴部（または尾柄）１３部分の第２部材２２および尾鰭１５部分の第３部材２３の運動と、その推進力を図解した、例示的な図である。
胴部（または尾柄）１３および尾鰭１５の回動により、空中に浮遊している魚形状空中遊泳体１に推進力が発生し、魚形状空中遊泳体１が推進する。白抜き矢印が示したものが胴部（または尾柄）１３による推進力を示し、黒印で示したものが尾鰭１５による推進力を示す。
このように、位相差τをつけて２個のサーボ５１、５２をＰＷＭ制御することにより、第２部材２２および第３部材２３、すなわち、胴部１３と尾鰭１５とを運動させることができる。
【００２７】
図１３は魚形状空中遊泳体１の推進状態を図解した図である。
図解の状態において、頭部１１と胴部１３とが接近している上側に正の圧力（正圧）ＰＰが発生し、頭部１１と胴部１３とが離間している下側に負圧ＮＰが発生し、同様に、胴部１３と尾鰭１５とが離間している上側に負圧ＮＰが発生し、胴部１３と尾鰭１５とが接近している下側に正圧ＰＰが発生している。
魚形状空中遊泳体１は、正圧ＰＰと負圧ＮＰとの圧力差に依存して空中を移動する。
【００２８】
図１４は本発明の実験例としての位相差と魚形状空中遊泳体１の直進速度の関係を示す図である。
実験例では、位相差τ＝３００ｍｓで、最高直進速度５．３４ｃｍ／ｓであった。なお、気球部の形状の改良、関節数の追加、第１サーボ５１、５２の駆動性能の向上などにより、最高速度を向上させることができる。
【００２９】
魚形状空中遊泳体１を鰺のように運動させる場合、制御用コンピュータによるサーボ５１、５２の駆動方法をさらに高度に行うこと、および、気球部の形状および材質を改良することによって、魚形状空中遊泳体１をさらに高速に移動させることができる。
【００３０】
魚形状空中遊泳体１は、操作者が使用するコントローラからの指令に応じて、移動方向、すなわち、右側か、左側か、および、移動速度を変化させることができる。
したがって、制御処理部４０の制御用コンピュータは、操作者がコントローラを介して移動速度を早めるとか遅くするなど、指示してきた場合、たとえば、図１４のデータを参照して、移動速度を変化させるための位相差τを選択する。
また、制御用コンピュータは、操作者がコントローラを介して、右旋回するとか、左旋回するとかを指示してきたときは、その旋回方向と旋回角度の大きさに応じて事前に制御用コンピュータ４１のメモリに記憶されている、第１サーボ５１および第２サーボ５２の駆動量、および、位相差τを参照して、第１サーボ５１および第２サーボ５２をＰＷＭ制御する。
【００３１】
以上述べたように、魚形状空中遊泳体１は、すなわち、鰺型空中遊泳体１は、操作者のコントローラからの指令に応じて、頭部１１に対して胴部１３が運動し、胴部１３に対して尾鰭１５が運動することにより、鰺が胴と尾鰭を動かして、恰も、海の中を泳ぐように、空中を移動していく。
【００３２】
なお、決まった軌道で魚形状空中遊泳体１を、たとえば、室内を移動させるときは、操作者がコントローラを介してその都度指令することなく、制御用コンピュータに運動する軌跡データを記憶させておき、制御用コンピュータはそのデータに基づいてサーボ５１、５２を駆動する。
【００３３】
第２実施の形態
本発明の空中遊泳体の第２実施の形態を述べる。
第２実施の形態の空中遊泳体としては、第１実施の形態として述べた魚形状空中遊泳体１に搭載した制御用コンピュータ、送受信装置の他に、音声識別回路を追加することにより、魚形状空中遊泳体１の下にいる人間からの音声による操作指示に応じて、たとえば、早く、左旋回、または、ゆっくり右旋回などの操作指示を音声識別回路で行い、その結果に基づいて制御用コンピュータが上述した制御処理を行うことができる。
正常に音声認識したとき、制御用コンピュータは、たとえば、魚形状空中遊泳体１の目の部分に内蔵された発光手段、たとえば、発光ダイオードを所定時間点灯させることもできる。
【００３４】
第３実施の形態
本発明の空中遊泳体の第３実施の形態を述べる。
第３実施の形態の空中遊泳体としては、第１実施の形態、または、第２実施の形態の魚形状空中遊泳体１に対して、たとえば、室内での障害物との衝突防止のため、たとえば、超音波センサや超小型ＣＣＤカメラといった情報収集手段を付加し、情報収集手段が、たとえば、壁とか障害物を検知したとき、制御用コンピュータが魚形状空中遊泳体１に対して、障害物を回避させることができる。このとき、制御用コンピュータは、魚形状空中遊泳体１に搭載されたブザーなどを鳴動させることができる。
あるいは、制御用コンピュータがメモリに記憶しておいた衝突防止のための動作データに従い、魚形状空中遊泳体１に衝突防止動作を行わせることができる。制御用コンピュータのメモリに記憶させておく衝突防止のための動作データには、魚形状空中遊泳体１の運動停止や、魚形状空中遊泳体１に搭載されたブザーなどを鳴動させるというデータも含まれている。
魚形状空中遊泳体１は、超音波ＣＣＤセンサと超小型カメラといった情報収集手段を有し、魚形状空中遊泳体１の周囲に存在する障害を検知し、適当な動作を行う機能を備えている。障害には動く障害（動的障害物）と動かない障害（静的障害物）の２種類があるが、例えば、情報収集手段が魚形状空中遊泳体１の予定動作を妨げる障害を検知した場合、当該障害の回避動作を行う。また、動的障害物が魚形状空中遊泳体１から逃避する場合、魚形状空中遊泳体１は当該動的障害物を追跡することもある。
【００３５】
なお、魚形状空中遊泳体１は通常、浮遊状態にあるが、バルーン内のＨｅガスは時間経過と共に徐々に漏れてしまう。その結果、魚形状空中遊泳体１は浮遊状態を逸脱し、徐々に下降してしまう。情報収集手段が、この下降を検知すると、制御用コンピュータのメモリに記憶させておいたＨｅガスの補給のための動作データに従い、魚形状空中遊泳体１にＨｅガス補給動作、あるいはＨｅガス補給を要求する動作を行わせることができる。
【００３６】
本発明の空中遊泳体の実施に際しては、上述した実施の形態には限定されない。たとえば、魚形状空中遊泳体１として、鰺型の魚の形状をし、鰺のような運動をする魚を例示して述べたが、本発明はそのような例示には限定されない。
たとえば、関節部を２以上、たとえば、３にしてもよい。具体的な例としては、胴部１３を２個にして、より微細な運動を行わせてもよいし、尾鰭１５を２個にして、より微細な運動を行わせてもよい。あるいは、尾鰭１５を２個にして、先端側の運動を高速にして、実際の鰺の動きに則した動作をさせながら、魚形状空中遊泳体１の運動速度を高めることもできる。
【００３７】
また、上述した実施の形態においては、空中を左右に運動する場合を例示したが、上下に昇降させる機能を付加してもよい。
【００３８】
もちろん、空中遊泳体の形状は魚の形状に限定されるものでもない。たとえば、魚形状空中遊泳体１に該当するものを象にして、象の本体部分を頭部１１に対応させ、耳を胴部１３と尾鰭１５に該当するものにして、耳を胴部１３と尾鰭１５のように運動させて、空中を浮遊する象を上下などに移動させることもできる。
【００３９】
なお、魚形状空中遊泳体１にサーボ５１、５２とバッテリ電源６０とを搭載し、制御用コンピュータを魚形状空中遊泳体１に搭載させず、制御用コンピュータ４１を地上においてその結果の駆動信号のみ、無線方式でサーボ５１、５２に出力することもできる。このように、制御用コンピュータを魚形状空中遊泳体１に搭載しないと、魚形状空中遊泳体１の重量が軽くなり、魚形状空中遊泳体１の浮遊条件が緩和できる。
【００４０】
以上の実施の形態は、操作者がコントローラを介して操作する例について述べたが、本発明は、基本的な実施形態に魚形状空中遊泳体１は、制御用コンピュータが情報収集手段により得られた情報に従って動作を決定するロボットという位置づけにすることができる。すなわち、ラジコン飛行船のように操作者の指令に応じて動作するだけの空中遊泳体とは別物になる。
また、「送受信装置」の使用は、「制御用コンピュータと操作者のコントローラとの間」の通信を行うだけではない。魚形状空中遊泳体１の外部に設置した情報処理用コンピュータと制御用コンピュータとの間で通信を行い、制御用コンピュータでは賄い切れない情報処理を情報処理用コンピュータにて行う。制御用コンピュータでは賄い切れない情報処理としては、例えば高度な画像処理や情報収集手段によって得られた多量な情報の蓄積などが考えられる。もし、情報処理用コンピュータを介して操作者が制御用コンピュータと通信を行う場合、（情報処理用コンピュータ）＝（コントローラ）ということになる。
【図面の簡単な説明】
【００４１】
【図１】図１（Ａ）〜（Ｃ）は各種魚の推進原理を図解した図である。
【図２】図２は本発明の空中遊泳体の実施の形態として魚形状空中遊泳体の浮遊状態を図解する図である。
【図３】図３（Ａ）〜（Ｃ）は図２に図解した魚形状空中遊泳体の気球部の概略構成を図解する図であり、図３（Ａ）は魚形状空中遊泳体１の断面図であり、図３（Ｂ）は図３（Ａ）とは直交する魚形状空中遊泳体１の上部からみた骨格の概略図であり、図３（Ｃ）は魚形状空中遊泳体１の気球部の概略構成図である。
【図４】図４（Ａ）、（Ｂ）は、図３（Ｂ）に図解した構造部分の詳細構成例を図解した図である。図４（Ａ）は横断面図であり、図４（Ｂ）は平面図である。
【図５】図５は図３（Ａ）〜（Ｃ）に図解した魚形状空中遊泳体に使用するサーボの外観斜視図である。
【図６】図６は図３（Ａ）〜（Ｃ）に図解した魚形状空中遊泳体の気球部の構成図である。
【図７】図７は図６に図解した魚形状空中遊泳体気球部の構成図である。
【図８】図８は図３（Ａ）〜（Ｃ）に図解した魚形状空中遊泳体に搭載されているサーボの駆動波形図である。
【図９】図９は図３（Ａ）〜（Ｃ）に図解した魚形状空中遊泳体に搭載された制御用コンピュータが１個のサーボ、たとえば、第１サーボをＰＷＭ方式で駆動するときの、例示的な、パルス波形図である。
【図１０】図１０は図３（Ａ）〜（Ｃ）に図解した魚形状空中遊泳体に搭載された制御用コンピュータが位相差τをつけて２個のサーボをＰＷＭ方式で駆動した例示的なパルス波形図である。
【図１１】図１１（Ａ）〜（Ｃ）、（Ｄ）〜（Ｆ）はそれぞれ、２個のサーボをＰＷＭ方式で駆動するときの位相差τ＝０ｍｓと、τ＝８００ｍｓにおける、胴部部分の第２部材と、尾鰭部分の第３部材について２００ｍｓごとの運動を例示したグラフである。
【図１２】図１２（Ａ）、（Ｂ）は、２個のサーボをＰＷＭ方式で駆動するときの位相差τと、胴部（または尾柄）部分の第２部材および尾鰭部分の第３部材の運動と、その推進力を図解した、例示的な図である。
【図１３】図１３は図３（Ａ）〜（Ｃ）に図解した魚形状空中遊泳体の推進状態を図解した図である。
【図１４】図１４は本発明の実験例としての、位相差と魚形状空中遊泳体の直進速度の関係を示す図である。
【符号の説明】
【００４２】
１・・魚形状空中遊泳体
１１・・頭部
１１１・・頭部バルーン、１１３・・Ｈｅガス
１２・・第１貫通部
１３・・胴部（または尾柄）
１３１・・胴部バルーン、１３３・・Ｈｅガス
１４・・第２貫通部
１５・・尾鰭
２１〜２３・・第１〜３部材
３１、３２・・第１、２連結部
４０・・制御部
４１・・制御用コンピュータ、４３・・送受信装置
５０・・駆動手段
５１、５２・・サーボ
６０・・バッテリ電源
【図１】
2005192869.tif 000003
【図２】
2005192869.tif 000004
【図３】
2005192869.tif 000005
【図４】
2005192869.tif 000006
【図５】
2005192869.tif 000007
【図６】
2005192869.tif 000008
【図７】
2005192869.tif 000009
【図８】
2005192869.tif 000010
【図９】
2005192869.tif 000011
【図１０】
2005192869.tif 000012
【図１１】
2005192869.tif 000013
【図１２】
2005192869.tif 000014
【図１３】
2005192869.tif 000015
【図１４】
2005192869.tif 000016